(57)【要約】【課題】予約番組の放送時間の変更の有無を、ＥＰＧ情報に含まれるタイトル名の比較等を行わずに時間のみで判定して、予約実行時間を変更する。【解決手段】録画装置１の制御部１０は、取得したＥＰＧ情報に含まれる番組の中から、録画予約された番組の放送時間帯に含まれる割合が最大の番組を特定する。ＥＰＧ情報から特定した番組の放送開始時刻が予約番組の放送開始時刻より早ければ、制御部１０は録画予約の実行開始時刻を、ＥＰＧ情報から特定した番組の放送開始時刻に変更する。また、ＥＰＧ情報から特定した番組の放送終了時刻が予約番組の放送終了時刻より遅ければ、制御部１０は録画予約の実行終了時刻を、ＥＰＧ情報から特定した番組の放送終了時刻に変更する。【選択図】図１
2009118050.tif 000002
【特許請求の範囲】
【請求項１】
放送を受信する受信部と、電子番組表に係る番組表情報を取得する取得手段と、番組の受信予約を受け付ける予約受付手段とを備える番組予約装置において、
前記取得手段が取得した番組表情報が規定する番組の中から、前記受信予約に係る番組に応じた放送チャンネルでの放送時間帯に含まれる割合が最大である番組を特定する特定手段と、
前記特定手段が特定した番組の放送開始時刻と、前記予約受付手段が受け付けた受信予約に係る番組の放送開始時刻とを比較する手段と、
比較の結果、前記特定した番組の放送開始時刻が前記受信予約に係る番組の放送開始時刻より早いと判定した場合、前記特定した番組の放送開始時刻から前記受信予約に係る番組に応じた放送チャンネルの放送を前記受信部で受信する制御を行う手段と
を備えることを特徴とする番組予約装置。
【請求項２】
放送を受信する受信部と、電子番組表に係る番組表情報を取得する取得手段と、番組の受信予約を受け付ける予約受付手段とを備える番組予約装置において、
前記取得手段が取得した番組表情報が規定する番組の中から、前記受信予約に係る番組に応じた放送チャンネルでの放送時間帯に含まれる割合が最大である番組を特定する特定手段と、
前記特定手段が特定した番組の放送開始時刻と、前記予約受付手段が受け付けた受信予約に係る番組の放送開始時刻とを比較する手段と、
比較の結果、前記特定した番組の放送開始時刻が前記受信予約に係る番組の放送開始時刻より遅いと判定した場合、前記特定した番組より前の時間帯の番組の放送開始時刻から前記受信予約に係る番組に応じた放送チャンネルの放送を前記受信部で受信する制御を行う手段と
を備えることを特徴とする番組予約装置。
【請求項３】
前記受信部が受信する放送の記憶処理を行う手段と、
記憶する放送に対して、前記特定した番組の放送開始のときに識別情報を記憶する処理を行う手段と
を備える請求項２に記載の番組予約装置。
【請求項４】
前記受信部が受信する放送の記憶処理を行う記憶処理手段を備え、
前記記憶処理手段は、前記前の時間帯の番組の放送を、前記特定した番組の放送を記憶する際の記憶品質より低い記憶品質で記憶するようにしてある請求項２または請求項３に記載の番組予約装置。
【請求項５】
放送を受信する受信部と、電子番組表に係る番組表情報を取得する取得手段と、番組の受信予約を受け付ける予約受付手段とを備える番組予約装置において、
前記取得手段が取得した番組表情報が規定する番組の中から、前記受信予約に係る番組に応じた放送チャンネルでの放送時間帯に含まれる割合が最大である番組を特定する特定手段と、
前記特定手段が特定した番組の放送開始時刻と、前記予約受付手段が受け付けた受信予約に係る番組の放送開始時刻とを比較する手段と、
比較の結果、前記特定した番組の放送開始時刻が前記受信予約に係る番組の放送開始時刻より遅いと判定した場合、判定した時刻と、前記特定した番組より前の時間帯の番組の放送開始時刻とを比較する手段と、
比較の結果、判定した時刻が、前記前の時間帯の番組の放送開始時刻より遅いと判定した場合、判定したときから前記受信予約に係る番組に応じた放送チャンネルの放送を前記受信部で受信する制御を行う手段と
を備えることを特徴とする番組予約装置。
【請求項６】
放送を受信する受信部と、電子番組表に係る番組表情報を取得する取得手段と、番組の受信予約を受け付ける予約受付手段とを備える番組予約装置において、
前記取得手段が取得した番組表情報が規定する番組の中から、前記受信予約に係る番組に応じた放送チャンネルでの放送時間帯に含まれる割合が最大である番組を特定する特定手段と、
前記特定手段が特定した番組の放送終了時刻と、前記予約受付手段が受け付けた受信予約に係る番組の放送終了時刻とを比較する手段と、
比較の結果、前記特定した番組の放送終了時刻が前記受信予約に係る番組の放送終了時刻より遅いと判定した場合、前記特定した番組の放送終了時刻まで前記受信予約に係る番組に応じた放送チャンネルの放送を前記受信部で受信する制御を行う手段と
を備えることを特徴とする番組予約装置。
【請求項７】
放送を受信する受信部と、電子番組表に係る番組表情報を取得する取得手段と、番組の受信予約を受け付ける予約受付手段とを備える番組予約装置において、
前記取得手段が取得した番組表情報が規定する番組の中から、前記受信予約に係る番組に応じた放送チャンネルでの放送時間帯に含まれる割合が最大である番組を特定する特定手段と、
前記特定手段が特定した番組の放送終了時刻と、前記予約受付手段が受け付けた受信予約に係る番組の放送終了時刻とを比較する手段と、
比較の結果、前記特定した番組の放送終了時刻が前記受信予約に係る番組の放送終了時刻より早いと判定した場合、前記特定した番組より後の時間帯の番組の放送終了時刻まで前記受信予約に係る番組に応じた放送チャンネルの放送を前記受信部で受信する制御を行う手段と
を備えることを特徴とする番組予約装置。
【請求項８】
前記受信部が受信する放送の記憶処理を行う記憶処理手段を備え、
前記記憶処理手段は、前記後の時間帯の番組の放送を、前記特定した番組の放送を記憶する際の記憶品質より低い記憶品質で記憶するようにしてある請求項７に記載の番組予約装置。
【発明の詳細な説明】
【技術分野】
【０００１】
本発明は、放送番組の録画予約または視聴予約を行っている場合で、放送時間の変更等により予約番組の放送時間が変更になっても、簡易な処理で放送時間が変更になった予約番組を確実に録画または視聴できるようにした番組予約装置に関する。
【背景技術】
【０００２】
従来、予約機能を有する録画装置、放送受信装置の中には、毎日定時に放送される番組、毎週放送される番組などの定期的な放送番組の録画予約または視聴予約を行える機能（毎日予約、毎週予約などの機能）を具備しているものがある。また、ＥＰＧ（登録商標：Electric Program Guide電子番組表）に基づいて録画予約または視聴予約を行える機能を具備する録画装置、放送受信装置が多数存在している。
【０００３】
録画予約または視聴予約を行った放送番組が実際に放送される時刻は、前の時間帯の番組がプロ野球などのスポーツの試合を放映する番組であれば、試合の延長などにより、変更される場合がある。また、予約された番組内容がニュース番組などであれば、緊急的なニュースの発に伴って、予約番組自体の放送時間が延長されて、予約番組の放送終了時刻が変更される場合もある。
【０００４】
なお、下記の特許文献１および特許文献２は、予約番組の放送時間が変更されても、予約番組のタイトル名と、電子番組表の中からキーワードで検索される番組タイトル名との比較処理より、変更された予約番組の放送時間を特定して、予約番組の放送時間を変更する内容を開示している。また、番組のタイトル名の比較処理を行う以外にも、番組ごとに固有のＩＤを付して放送時間の変更に対応するものが従来技術として存在する。
【特許文献１】特開２００３−４６９２１号公報
【特許文献２】特開２００４−３３６６８８号公報
【発明の開示】
【発明が解決しようとする課題】
【０００５】
予約番組の放送時間の変更に対して、上述した特許文献１および特許文献２のように番組のタイトル名の比較処理を行う場合、電子番組表の番組表情報に含まれる多大な数の文字の中からキーワード検索を行ってタイトル名の比較処理を行う必要があるので、装置の処理負担が大きいと云う問題がある。また、設定されたキーワードが適切でなければ、そもそも電子番組表から予約番組に応じた番組を見つけ出すことが困難となり、予約番組の放送時間の変更処理も適切に行えない場合も生じる。さらに、番組ごとの固有のＩＤを付す処理を行う場合も、全体的な処理が大がかりになると云う問題がある。
【０００６】
本発明は、斯かる問題に鑑みてなされたものであり、タイトル名の比較処理を行うことなく、番組表情報に含まれる時間情報を用いて予約番組の放送時間の変更に追従できるようにした番組予約装置を提供することを目的とする。
【課題を解決するための手段】
【０００７】
上記課題を解決するために本発明に係る番組予約装置は、放送を受信する受信部と、電子番組表に係る番組表情報を取得する取得手段と、番組の受信予約を受け付ける予約受付手段とを備える番組予約装置において、前記取得手段が取得した番組表情報が規定する番組の中から、前記受信予約に係る番組に応じた放送チャンネルでの放送時間帯に含まれる割合が最大である番組を特定する特定手段と、前記特定手段が特定した番組の放送開始時刻と、前記予約受付手段が受け付けた受信予約に係る番組の放送開始時刻とを比較する手段と、比較の結果、前記特定した番組の放送開始時刻が前記受信予約に係る番組の放送開始時刻より早いと判定した場合、前記特定した番組の放送開始時刻から前記受信予約に係る番組に応じた放送チャンネルの放送を前記受信部で受信する制御を行う手段とを備えることを特徴とする。
【０００８】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より早い場合、その特定した番組の放送開始時刻から放送の受信を行うので、予約番組の放送開始が早く変更されたときに応じた処理を行える。すなわち、このような処理で特定した番組は、放送開始が早く変更された予約番組に該当する可能性が最も高いと考えられ、その特定した番組の放送開始時刻より受信を行えば、放送時間が変更された予約番組を確実に受信できるようになる。しかも、これらの処理では、キーワード検索およびタイトル比較等を行わないので装置の処理負担も従来に比べて低減される。
【０００９】
また、万が一、その特定した番組が予約番組に該当しなくても、予約番組の放送開始時刻より早い時刻から受信を開始するだけなので、予約番組の受信を逃すことにもなり得ない。さらに、録画予約のために番組の受信予約を行う場合でも、昨今の録画装置は一般に大容量の記憶媒体を用いるので、早めに録画した番組が、たとえ予約番組に該当しなくても、予約番組の受信を逃がすことに比べれば、ユーザの不利益は小さなものにすぎない。
【００１０】
本発明に係る番組予約装置は、放送を受信する受信部と、電子番組表に係る番組表情報を取得する取得手段と、番組の受信予約を受け付ける予約受付手段とを備える番組予約装置において、前記取得手段が取得した番組表情報が規定する番組の中から、前記受信予約に係る番組に応じた放送チャンネルでの放送時間帯に含まれる割合が最大である番組を特定する特定手段と、前記特定手段が特定した番組の放送開始時刻と、前記予約受付手段が受け付けた受信予約に係る番組の放送開始時刻とを比較する手段と、比較の結果、前記特定した番組の放送開始時刻が前記受信予約に係る番組の放送開始時刻より遅いと判定した場合、前記特定した番組より前の時間帯の番組の放送開始時刻から前記受信予約に係る番組に応じた放送チャンネルの放送を前記受信部で受信する制御を行う手段とを備えることを特徴とする。
【００１１】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より遅い場合、特定した番組の前の番組の放送開始時刻から受信を行う。そのため、時間を延長する方向で受信を行うので、予約番組の放送時間が変更された場合に、番組タイトル等の比較を行わなくても、予約番組の受信を逃がすことがなくなる。なお、特定した番組の前の番組は、予約番組の放送時間帯に含まれる割合が小さいので、放送時間が変更された予約番組に該当する可能性は必ずしも高くないが、上述したように時間を延長する方向で受信を行うことで、万が一、前の番組が予約番組に該当することがあっても、予約番組の受信を逃がすことがなくなる。また、この場合の処理でも、キーワード検索およびタイトル比較等を行わないので装置の処理負担も従来に比べて低減される。
【００１２】
本発明に係る番組予約装置は、前記受信部が受信する放送の記憶処理を行う手段と、記憶する放送に対して、前記特定した番組の放送開始のときに識別情報を記憶する処理を行う手段とを備えることを特徴とする。
【００１３】
本発明にあっては、録画予約を行う場合に、受信する放送を記憶（録画）する際、特定した番組の放送開始のときに識別情報を記憶するので、特定した番組の前の番組から記憶を行っても、再生のときに識別情報に基づき特定した番組の開始箇所を容易に探し出せるようになる。すなわち、特定した番組の前の番組は、放送時間が変更された予約番組に該当する可能性は低いが、安全のために記憶（録画）したものなので、再生時には、最も予約番組である可能性が高い番組（特定した番組）の記憶開始箇所を、識別情報に基づき迅速に探し出せるようになる。なお、識別情報の記憶は具体的には、記憶開始箇所にチャプターマーク（しおり）を付加する処理が該当する。
【００１４】
本発明に係る番組予約装置は、前記受信部が受信する放送の記憶処理を行う記憶処理手段を備え、前記記憶処理手段は、前記前の時間帯の番組の放送を、前記特定した番組の放送を記憶する際の記憶品質より低い記憶品質で記憶するようにしてあることを特徴とする。
【００１５】
本発明にあっては、録画予約を行う場合、受信する放送を記憶（録画）する際、特定した番組の前の番組の記憶品質を低くするので、前の番組の記憶に要する記憶容量が通常の記憶品質で記憶する場合に比べて減るようになり、時間を延長する方向で記録する際のユーザの不利益が更に小さくなる。
【００１６】
本発明に係る番組予約装置は、放送を受信する受信部と、電子番組表に係る番組表情報を取得する取得手段と、番組の受信予約を受け付ける予約受付手段とを備える番組予約装置において、前記取得手段が取得した番組表情報が規定する番組の中から、前記受信予約に係る番組に応じた放送チャンネルでの放送時間帯に含まれる割合が最大である番組を特定する特定手段と、前記特定手段が特定した番組の放送開始時刻と、前記予約受付手段が受け付けた受信予約に係る番組の放送開始時刻とを比較する手段と、比較の結果、前記特定した番組の放送開始時刻が前記受信予約に係る番組の放送開始時刻より遅いと判定した場合、判定した時刻と、前記特定した番組より前の時間帯の番組の放送開始時刻とを比較する手段と、比較の結果、判定した時刻が、前記前の時間帯の番組の放送開始時刻より遅いと判定した場合、判定したときから前記受信予約に係る番組に応じた放送チャンネルの放送を前記受信部で受信する制御を行う手段とを備えることを特徴とする。
【００１７】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より遅いと判定した場合、さらに、その判定した時刻と、前の番組の放送開始時刻をと比較し、その判定した時刻が前の番組の放送開始時刻より遅いと判定したら、その判定したときから受信を行うので、判定処理を行う時点で既に前の番組の放送が開始されている場合でも、予約番組に該当する可能性が少しでもある番組（前の番組）をできるだけ多く受信できるようになる。
【００１８】
すなわち、予約番組の放送時間が、実際の放送時間の数時間または数十分前程度のレベルで変更された場合、比較処理の結果、特定された番組の前の番組が既に放送開始になっている事態も生じる。この場合、特定された番組の前の番組が予約番組に該当する可能性は低いが、必ずしも予約番組に該当する可能性は０％でないため、上述したように、比較処理を行ったときに、特定された番組の前の番組の放送が開始されていれば、即座に受信を行うことで、前の番組の受信を逃す時間を最小限に食い止めることができる。そのため、万が一、特定された番組の前の番組が予約番組に該当し、その予約番組が突然に放送開始時間を早めた場合でも、迅速に最善の処理で対応し得るようになる。
【００１９】
本発明に係る番組予約装置は、放送を受信する受信部と、電子番組表に係る番組表情報を取得する取得手段と、番組の受信予約を受け付ける予約受付手段とを備える番組予約装置において、前記取得手段が取得した番組表情報が規定する番組の中から、前記受信予約に係る番組に応じた放送チャンネルでの放送時間帯に含まれる割合が最大である番組を特定する特定手段と、前記特定手段が特定した番組の放送終了時刻と、前記予約受付手段が受け付けた受信予約に係る番組の放送終了時刻とを比較する手段と、比較の結果、前記特定した番組の放送終了時刻が前記受信予約に係る番組の放送終了時刻より遅いと判定した場合、前記特定した番組の放送終了時刻まで前記受信予約に係る番組に応じた放送チャンネルの放送を前記受信部で受信する制御を行う手段とを備えることを特徴とする。
【００２０】
本発明にあっては、予約番組の放送チャンネルにおける放送時間帯に、放送時間が最も多い割合で含まれる番組を番組表情報から特定し、その特定した番組の放送終了時刻が、予約番組の放送終了時刻より遅い場合、その特定した番組の放送終了時刻まで放送の受信を行うので、予約番組の放送時間の延長または放送時間の変更により放送終了時刻が遅くなったときに応じた処理を行える。すなわち、このような処理で特定した番組は、予約番組に該当する可能性が最も高いと考えられ、その特定した番組の放送終了時刻が予約番組の放送終了時刻より遅ければ、その特定した番組の放送終了時刻まで受信を行うことで、放送時間が変更されたと予想される予約番組を確実に最後まで受信できるようになる。しかも、これらの処理では、キーワード検索およびタイトル比較等を行わないので装置の処理負担も従来に比べて低減される。
【００２１】
本発明に係る番組予約装置は、放送を受信する受信部と、電子番組表に係る番組表情報を取得する取得手段と、番組の受信予約を受け付ける予約受付手段とを備える番組予約装置において、前記取得手段が取得した番組表情報が規定する番組の中から、前記受信予約に係る番組に応じた放送チャンネルでの放送時間帯に含まれる割合が最大である番組を特定する特定手段と、前記特定手段が特定した番組の放送終了時刻と、前記予約受付手段が受け付けた受信予約に係る番組の放送終了時刻とを比較する手段と、比較の結果、前記特定した番組の放送終了時刻が前記受信予約に係る番組の放送終了時刻より早いと判定した場合、前記特定した番組より後の時間帯の番組の放送終了時刻まで前記受信予約に係る番組に応じた放送チャンネルの放送を前記受信部で受信する制御を行う手段とを備えることを特徴とする。
【００２２】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より早い場合、時間を延長するように、特定した番組の後の番組の放送終了時刻まで受信を行い、予約番組の放送時間が変更された場合に、番組タイトル等の比較を行わなくても、予約番組の受信を逃がすことがなくなる。なお、特定した番組の後の番組は、予約番組の放送時間帯に含まれる割合が小さいので、放送時間が変更された予約番組に該当する可能性は必ずしも高くないが、上述したように時間を延長する方向で受信を行えば、万が一、後の番組が予約番組に該当しても、予約番組の受信を逃がすことを防止できる。また、本発明では単に時間比較だけを行うので、キーワード検索およびタイトル比較等を行う従来の場合に比べて、装置の処理負担も低減される。
【００２３】
本発明に係る番組予約装置は、前記受信部が受信する放送の記憶処理を行う記憶処理手段を備え、前記記憶処理手段は、前記後の時間帯の番組の放送を、前記特定した番組の放送を記憶する際の記憶品質より低い記憶品質で記憶するようにしてあることを特徴とする。
【００２４】
本発明にあっては、録画予約の場合で、受信する放送を記憶（録画）する際、特定した番組の後の番組の記憶品質を低くするので、後の番組の記憶に要する記憶容量が通常の記憶品質で記憶する場合に比べて減少し、時間を延長する方向で記録する際のユーザの不利益が更に小さくなる。
【発明の効果】
【００２５】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より早い場合、その特定した番組の放送開始時刻から放送の受信を行うので、キーワード検索およびタイトル比較等の処理負担の大きい処理を行うことなく、予約番組の放送開始が早く変更されたときに応じた処理を行える。
【００２６】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より遅い場合、受信する時間を延長するように、特定した番組の前の番組の放送開始時刻から受信を行うので、予約番組の放送時間が変更されたときに、番組タイトル等の比較を行わなくても、確実に予約番組を受信できる。
【００２７】
本発明にあっては、録画予約を行う場合で、受信する放送を録画する際、特定した番組の放送開始のときに識別情報を記憶するので、最も予約番組に該当する可能性が高い番組の記憶開始箇所を、再生時に識別情報に基づいて容易に探し出せる。
本発明にあっては、録画予約を行う場合で、受信する放送を録画する際、特定した番組の前の番組の記憶品質を低くするので、予約番組に該当する可能性が低い前の番組に対する記憶容量を減らすことができ、時間を延長する方向で録画する際のユーザの不利益を更に小さくできる。
【００２８】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より遅いと判定した場合、さらに、その判定した時刻と、前の番組の放送開始時刻をと比較し、その判定した時刻が前の番組の放送開始時刻より遅いと判定したら、その判定したときから受信を行うので、予約番組に該当する可能性が少しでもある番組（前の番組）をできるだけ多く受信できる。
【００２９】
本発明にあっては、予約番組の放送チャンネルにおける放送時間帯に、放送時間が最も多い割合で含まれる番組を番組表情報から特定し、その特定した番組の放送終了時刻が、予約番組の放送終了時刻より遅い場合、その特定した番組の放送終了時刻まで放送の受信を行うので、予約番組の放送時間の延長または放送時間の変更により放送終了時刻が遅くなったときに応じた処理を行える。
【００３０】
本発明にあっては、予約番組の放送チャンネルにおける放送時間帯に、放送時間が最も多い割合で含まれる番組を番組表情報から特定し、その特定した番組の放送開始時刻が、予約番組の放送開始時刻より早い場合、時間を延長するように、特定した番組の後の番組の放送終了時刻まで受信を行うので、番組タイトル等の比較を行わなくても、放送時間が変更された予約番組を最後まで確実に受信できる。
【００３１】
本発明にあっては、録画予約を行う場合で、受信する放送を記憶（録画）する際、特定した番組の後の番組の記憶品質を低くするので、後の番組の記憶に要する記憶容量を通常の記憶品質で記憶する場合に比べて減少でき、時間を延長する方向で記録する際のユーザの不利益が更に小さくできる。
【発明を実施するための最良の形態】
【００３２】
図１は、本発明の実施形態に係る番組予約装置に相当する録画装置１の主要な内部構成を示している。録画装置１は、いわゆるダブルチューナ内蔵タイプであり、受信したテレビジョン放送の番組を録画（記録）可能にしている。また、録画装置１は、もちろん録画予約にも対応しており、所定の録画予約の設定操作を行うことで、ユーザが所望する番組の予約を受け付けると共に、電子番組表に基づく録画予約にも対応している。
【００３３】
本実施形態の録画装置１は、録画予約を受け付けた番組の放送時間が変更されたか否かを、電子番組表に係る番組表情報（以下、ＥＰＧ情報と称す）に含まれる時間と、録画予約された番組の放送時間（放送開始時刻、放送終了時刻）とを適宜比較することで判定し、録画予約が変更されたと判定した場合は、変更された予約番組の放送時間が含まれるように、受信する時間および録画する時間を延長する方向で変更することを特徴にしている。以下、本実施形態の録画装置１について詳説する。
【００３４】
本実施形態の録画装置１は、テレビジョン放送の受信を行う第１受信部２および第２受信部３を切替部４に接続すると共に、録画（記憶）に関する処理を行うハードディスク記憶処理部５および記憶処理部６も切替部４に接続して、各受信部２、３で受信したテレビジョン放送の内容を、ハードディスク記憶処理部５に含まれるハードディスク（磁気ディスク）または記憶処理部６にセットされたディスク記憶媒体Ｄに録画できるようにしている。また、切替部４には外部インタフェース７も接続されており、各受信部２、３で受信したテレビジョン放送の内容、若しくはハードディスク記憶処理部５または記憶処理部６から再生処理された内容を外部（例えば、テレビジョン装置）へ出力できるようにしている。
【００３５】
また、切替部４には、録画装置１の全体的な制御処理を行う制御部１０が接続されており、制御部１０には、操作部８、リモートコントロール装置１５（以下、リモコン装置１５と称す）の受光部９、および不揮発性のメモリ１１が接続されている。
【００３６】
第１受信部２は、放送局から送信される地上デジタル放送に応じたＯＦＤＭ（直交周波数分割多重：Orthogonal Frequency Division Multiplexing）信号（デジタル放送信号）の受信およびコンテンツ信号の生成に係る一連の処理等を行うユニットである。地上デジタル放送の受信に対応して、第１受信部２は、チューナ部およびＯＦＤＭ復調部等を具備し、受信した地上デジタル放送から、放送コンテンツ（放送番組の内容）に相当するトランスポートストリーム（ＴＳ：Transport Stream）を生成し、そのトランスポートストリームに応じたコンテンツ信号を切替部４へ送る処理を行う。なお、第１受信部２が受信する放送チャンネルは、図１で示さない制御線を通じて制御部１０から送られる制御指示により定められる（第２受信部３も同様）。
【００３７】
また、第１受信部２は、地上デジタル放送に関する規格で定められた時間間隔で送信されてくる地上デジタル放送に関する電子番組表を生成するためのＥＰＧ情報も受信（取得）している。ＥＰＧ情報は、放送される各種番組の放送チャンネル、放送時間、番組のタイトル名、番組に出演する出演者等の情報を含んでいる。また、ＥＰＧ情報は、臨時番組、特別ニュースなどの発生により放送番組の変更、番組の放送時間が変更になった場合、その変更された内容の情報を含んでいるため、最新のＥＰＧ情報が、実際に放送される番組内容を最もよく反映したものになっている。
【００３８】
第２受信部３は、ＢＳ／ＣＳデジタル放送の受信およびコンテンツ信号の生成に係る一連の処理等を行い、受信対象となる放送媒体が異なる以外は、ほぼ第１受信部２と同等の構成であり、また、第２受信部３もＢＳ／ＣＳデジタル放送に関する電子番組表を生成するためのＥＰＧ情報を受信（取得）している。
【００３９】
切替部４は、各受信部２、３で受信された内容に基づくトランスポートストリームの出力先を、制御部１０の指示に従って切り替える処理を行うものである。例えば、第１受信部２の受信内容をハードディスク記憶処理部５で録画する場合、切替部４は、第１受信部２から送られるコンテンツ信号をハードディスク記憶処理部５へ送るように切替処理を行う。また、切替部４は、第２受信部３の受信内容を外部インタフェース７に接続されたテレビジョン装置（図示せず）へ表示出力する場合、第２受信部３から送られるコンテンツ信号を外部インタフェース７へ送るように切替処理を行う。
【００４０】
さらに、切替部４は、各受信部２、３が電子番組表のＥＰＧ情報を取得した場合、各受信部２、３から送られるＥＰＧ情報を、制御部１０を介してメモリ１１へ送って、メモリ１１でＥＰＧ情報を記憶できるようにしている。
【００４１】
ハードディスク記憶処理部５は、第１受信部２または第２受信部３が受信する放送の記憶処理を行う手段に該当し、各受信部２、３から送られてくるデジタルのコンテンツ信号に対する所定の処理（符号化、復号化処理等）を行うデジタル信号処理部、記憶媒体であるハードディスクに対する記憶再生処理部等を含んでおり、大量の放送番組を録画できると共に、録画した放送番組の再生に係る処理等も行う。
【００４２】
また、記憶処理部６も、第１受信部２または第２受信部３が受信する放送の記憶処理を行う手段に該当し、各受信部２、３から送られてくるデジタルのコンテンツ信号に対する所定の処理（符号化、復号化処理等）を行うデジタル信号処理部、ディスク記憶媒体Ｄの受け入れ部等を含んでおり、受け入れたディスク記憶媒体Ｄに対して録画処理または再生処理を行う。また、ハードディスク記憶処理部５と記憶処理部６は、制御部１０の制御に基づき、録画（記憶）した内容の所定の箇所にチャプターマークを付す処理も行えるようになっている。
【００４３】
外部インタフェース７は、ＨＤＭＩ（High-Definition
Multimedia Interface）に応じた接続インタフェースであり、映像および音声等のコンテンツ信号を接続先の表示装置（テレビジョン装置）へ非圧縮で伝送できると共に、コンテンツ信号以外に各種制御信号（例えば、電源オンを通知する信号など）も伝送できるようになっている。
【００４４】
操作部８は、録画装置１の装置本体に設けられており、複数のキーを具備してユーザから各種操作を受け付け可能になっており、受け付けた操作の内容を制御部１０へ伝える。また、受光部９は、リモコン装置１５から発せられる操作信号を含む赤外光を受光するものであり、受光した赤外光に含まれる操作信号を制御部１０へ伝える。
【００４５】
リモコン装置１５は、上下左右キー、決定キー、その他、多数のキーを具備して、ユーザからの操作を各キーで受付可能にしており、本実施形態では、ユーザが所望する番組の録画予約（受信予約に相当）を受け付ける予約受付手段に相当する。なお、本実施形態の録画装置１は、リモコン装置１５を用いた番組の録画予約を行えるようにしており、具体的には電子番組表での録画予約（外部インタフェース７に接続した表示装置に電子番組表を表示して、表示された番組を選択する方式）、所定の番組コードを入力して録画予約を行う方式、日時および放送チャンネルを指定して録画予約を行う方式に対応しており、また、定期的に放送される番組に対して行う定期的な録画予約（毎日予約、毎週予約など）などにも対応している。
【００４６】
なお、上述した各方式による録画予約では、いずれにおいても、録画予約の対象となる放送媒体（地上デジタル放送またはＢＳ／ＣＳデジタル放送）、放送チャンネル、放送日時（放送日、放送開始時刻および放送終了時刻）、録画先の記憶媒体（ハードディスク記憶処理部５に含まれるハードディスクまたは記憶処理部６にセットされるディスク記憶媒体Ｄ）および録画品質（高画質（ＸＰ）、標準画質（ＳＰ）、２倍長時間（ＬＰ）、３倍長時間（ＥＰ）等）などを選択する操作をリモコン装置１５で受け付けることになる。
【００４７】
メモリ１１は、各種情報、データ等を記憶するものであり、本実施形態では、各受信部２、３で受信されたＥＰＧ情報を記憶すると共に、リモコン装置１５で受け付けた録画予約の内容（地上デジタル放送またはＢＳ／ＣＳデジタル放送等の放送媒体の種類、放送チャンネル、放送日時、録画先の記憶媒体、録画品質等）を記憶する。
【００４８】
制御部１０は、上述した各部２、３等の制御を行うと共に、本実施形態では、録画予約された番組の放送時間が変更された場合、キーワード検索およびタイトル名の比較などの処理負担の大きい処理を行うことなく、放送時間が変更された予約番組を確実に録画できるような処理を行う。制御部１０は、リモコン装置１５の操作で録画予約が行われると、録画装置１０の電源ＯＮ操作が行われたとき、所定の時間間隔（例えば、４時間ごと）、または、各受信部２、３で最新のＥＰＧ情報が取得されるごとに、録画予約された番組の放送時間が変更されていないかをＥＰＧ情報に基づき判定する処理を行う。
【００４９】
予約番組の放送時間の判定処理に対して、制御部１０はまず、メモリ１１に記憶されている録画予約の内容（放送媒体、放送チャンネル、放送日時）と、メモリ１１に記憶されているＥＰＧ情報の内容（放送媒体、放送チャンネル、放送日時）とを比較する。例えば、録画予約の内容が、地上デジタル放送の８チャンネル（８ｃｈ）で、１０月１日の１０時から１２時までの放送内容を受信して録画すると云う内容であれば、制御部１０は、メモリ１１に記憶されているＥＰＧ情報の中の地上デジタル放送の８チャンネルの１０時から１２時を含む前後の時間帯の放送番組の中から、１０時から１２時の放送時間帯で、放送時間が含まれる割合が最も多い放送番組を特定する処理を行うことになる。
【００５０】
たとえば図２に示すように、ＥＰＧ情報が、地上デジタル放送の１０月１日における８ｃｈで、１０時から１２時に番組Ｂを放送することを示していれば、録画予約時間の１０時から１２時に、最も放送時間が含まれる割合が多い番組は番組Ｂなので、この場合、制御部１０は予約番組に対応する番組として番組Ｂを特定する。また、図３、図５に示す場合でも、ＥＰＧ情報は、地上デジタル放送の１０月１日における８ｃｈで、１０時から１２時の時間帯に番組Ｂの放送時間が最も多く含まれるので、図３、図５に示すようなＥＰＧ情報に対しても、制御部１０は予約番組に対応する番組として番組Ｂを特定する。
【００５１】
また、図４に示すＥＰＧ情報では、１０時から１２時の時間帯において、１０時から１０時３０分までは、番組Ａの放送時間（３０分間）が含まれ、１０時３０分から１２時までが番組Ｂの放送時間（１時間３０分）が含まれるが、この場合も録画予約時間に放送時間が含まれる割合が最大の番組は、番組Ｂなので、図４の例でも制御部１０は予約番組に対応する番組として番組Ｂを特定する。さらに、図６に示すＥＰＧ情報では、録画予約時間の１０時から１２時の時間帯において、１０時から１１時３０分までは、番組Ｂの放送時間（１時間３０分間）が含まれ、１１時３０分から１２時までが番組Ｃの放送時間（３０分）が含まれるが、この場合も放送時間が含まれる割合が最大の番組は番組Ｂなので、図６の例でも制御部１０は予約番組に対応する番組として番組Ｂを特定する。
【００５２】
ＥＰＧ情報から録画予約された番組に対応する番組を特定すると、次に、制御部１０は、ＥＰＧ情報から特定した番組の放送開始時刻と、録画予約の予約番組の放送開始時刻とを比較する処理を行う。比較の結果、ＥＰＧ情報から特定した番組の放送開始時刻が、録画予約した番組の放送開始時刻と同じである場合、これは予約番組の放送開始時刻は変更されていないことを示すので、制御部１０は、録画予約の実行開始時刻（受信を行って録画を開始する時刻）を録画予約された内容通りに行うことを決定する。
【００５３】
図２、図５はそれぞれ、ＥＰＧ情報から特定した番組（番組Ｂ）の放送開始時刻と、予約番組の放送開始時刻が同じである例を示している。この場合、録画予約された番組（予約番組）の放送開始時刻Ｔ１は１０時であり、ＥＰＧ情報から特定された番組Ｂの放送開始時刻ｔ１も１０時であるため、録画予約の実行開始時刻Ｘ１は１０時と決定される。
【００５４】
また、放送開始時刻の比較の結果、ＥＰＧ情報から特定した番組の放送開始時刻が、録画予約した番組の放送開始時刻より早いと制御部１０が判定した場合、これは録画予約された番組の放送開始時刻が早くなった可能性が高いので、録画時間が延長されるように制御部１０は、録画予約の実行開始時刻として、ＥＰＧ情報から特定した番組の放送開始時刻を用いることを決定し、特定した番組の放送開始時刻から録画予約の実行（予約番組の受信および録画の実行。以下、同様）に係る制御を行う。
【００５５】
図３、図６はそれぞれ、ＥＰＧ情報から特定した番組の放送開始時刻が、録画予約した番組の放送開始時刻より早い例を示している。この場合、録画予約された番組（予約番組）の放送開始時刻Ｔ１は１０時であり、ＥＰＧ情報から特定された番組Ｂの放送開始時刻ｔ１は９時３０分であるため、録画予約の実行開始時刻Ｘ１は９時３０分と決定される。
【００５６】
さらに、放送開始時刻の比較の結果、ＥＰＧ情報から特定した番組の放送開始時刻が、録画予約した番組の放送開始時刻より遅いと制御部１０が判定した場合、これは録画予約された番組の放送開始時刻が遅くなった可能性が高いと考えられるが、ＥＰＧ情報から特定した番組の前の時間帯に放送される番組が、録画予約した番組に該当する可能性も少なからず存在する。そのため、制御部１０は、録画予約の実行開始時刻として、ＥＰＧ情報から特定した番組の前の時間帯に放送される番組の放送開始時刻を用いることを決定し、前の時間帯の番組の放送開始時刻から録画予約の実行に係る制御を行う。
【００５７】
図４は、ＥＰＧ情報から特定した番組の放送開始時刻が、録画予約した番組の放送開始時刻より遅い例を示している。この場合、録画予約された番組（予約番組）の放送開始時刻Ｔ１は１０時であり、ＥＰＧ情報から特定された番組Ｂの放送開始時刻ｔ１は１０時３０分であるため、録画予約の実行開始時刻Ｘ１は、番組Ｂの前に放送される番組Ａの放送開始時刻ｔ０である８時と決定される。
【００５８】
また、制御部１０は、図４に示すような例の場合、録画予約された番組を逃がすことが無いように、番組Ａから録画するようにしているが、記憶容量が無駄に浪費されることを防止するため、番組Ａに係る録画品質（記憶品質）は、録画予約に係る放送時間に含まれる割合が多い番組Ｂの録画品質より低くして録画処理を行うようにしている。そのため、録画予約で指定されている録画先の記憶媒体に応じた処理部（ハードディスク記憶処理部５または記憶処理部６）に対して、制御部１０は録画品質を指定する制御を行う。
【００５９】
よって、図４の例で、録画予約の録画品質がＸＰに設定されていると、番組ＢはＸＰの録画品質で録画されるが、番組Ａは、そのときの録画可能容量に応じてＳＰ、ＬＰ、ＥＰのいずれかで録画されることになる。また、録画予約の録画品質がＳＰに設定されていると、番組ＢはＳＰの録画品質で録画されるが、番組Ａは、そのときの録画可能容量に応じてＬＰ、ＥＰのいずれかで録画されることになる。
【００６０】
さらに、制御部１０は、録画した内容を再生するときに、録画予約された番組に該当する可能性が高い番組Ｂの録画開始箇所を容易に見つけられるように、番組Ｂを録画するときに、番組Ｂの放送開始時刻に応じた記憶箇所に識別情報としてチャプターマークを付加する（記憶する）処理も行う。
【００６１】
上述した放送開始時刻の比較判定等に関する処理を完了すると、次に制御部１０は、ＥＰＧ情報から特定した番組の放送終了時刻と、予約番組の放送終了時刻とを比較する処理を行う。比較の結果、ＥＰＧ情報から特定した番組の放送終了時刻が、予約番組の放送終了時刻と同じである場合、これは録画予約された番組の放送終了時刻は変更されていないことを示すので、制御部１０は、録画予約の実行終了時刻（受信を行って録画を開始してから録画を停止する時刻）まで録画予約された内容通りに録画処理を行う。
【００６２】
図２、図３はそれぞれ、ＥＰＧ情報から特定した番組の放送終了時刻と、録画予約した番組の放送終了時刻が同じである例を示している。この場合、録画予約された番組（予約番組）の放送終了時刻Ｔ２は１２時であり、ＥＰＧ情報から特定された番組Ｂの放送終了時刻ｔ２も１２時であるため、録画予約の実行終了時刻Ｘ２は１２時と決定される。
【００６３】
また、放送終了時刻の比較の結果、ＥＰＧ情報から特定した番組の放送終了時刻が、録画予約した番組の放送終了時刻より遅いと制御部１０が判定した場合、これは録画予約された番組の放送終了時刻が遅くなった可能性が高いので、録画時間が延長されるように制御部１０は、録画予約の実行終了時刻として、ＥＰＧ情報から特定した番組の放送終了時刻を用いることを決定し、特定した番組の放送終了時刻まで録画予約の実行に係る制御を行う。
【００６４】
図４、図５はそれぞれ、ＥＰＧ情報から特定した番組の放送終了時刻が、予約番組の放送終了時刻より遅い例を示している。この場合、録画予約された番組（予約番組）の放送終了時刻Ｔ２は１２時であり、ＥＰＧ情報から特定された番組Ｂの放送終了時刻ｔ２は１２時３０分であるため、録画予約の実行終了時刻Ｘ２は１２時３０分と決定される。
【００６５】
さらに、放送終了時刻の比較の結果、ＥＰＧ情報から特定した番組の放送終了時刻が、録画予約した番組の放送終了時刻より早いと制御部１０が判定した場合、これは録画予約された番組の放送終了時刻が早くなった可能性が高いと考えられるが、ＥＰＧ情報から特定した番組の後の時間帯に放送される番組が、予約番組に該当する可能性も少なからず存在する。そのため、制御部１０は、録画予約の実行終了時刻として、ＥＰＧ情報から特定した番組の後の時間帯に放送される番組の放送終了時刻を用いることを決定し、後の番組の放送終了時刻まで録画予約の実行を行って録画時間が延長されるようにする。
【００６６】
図６は、ＥＰＧ情報から特定した番組の放送終了時刻が、予約番組の放送終了時刻より早い例を示している。この場合、録画予約された番組（予約番組）の放送終了時刻Ｔ２は１２時であり、ＥＰＧ情報から特定された番組Ｂの放送終了時刻ｔ２は１１時３０分であるため、録画予約の実行終了時刻Ｘ２は、番組Ｂの後に放送される番組Ｃの放送終了時刻ｔ３である２時と決定される。
【００６７】
また、制御部１０は、図６に示すような例の場合、録画予約された番組を逃がすことが無いように番組Ｃまで録画するが、図４に示す場合と同様に、記憶容量が無駄に浪費されることを防止するため、番組Ｃに係る録画品質（記憶品質）は、録画予約に係る放送時間に含まれる割合が多い番組Ｂの録画品質より低くして録画処理を行う。そのため、録画予約で指定されている録画先の記憶媒体に応じた処理部（ハードディスク記憶処理部５または記憶処理部６）に対して、制御部１０は録画品質を指定する制御を行う。
【００６８】
なお、上述した図２は、ＥＰＧ情報に含まれる複数の番組の中で、録画予約された番組に該当する可能性が高い番組Ｂが、録画予約された番組と同じ放送時間帯で放送される例（放送時間に変更が無い例）を示している。また、図３は、録画予約された番組に該当する可能性が高い番組Ｂが、録画予約された番組の放送開始時刻より３０分早い時刻から放送が開始されて、録画予約の放送終了時刻まで放送されるようになった例（放送時間が前の方へ３０分延長された例）を示している。さらに、図４は、録画予約された番組に該当する可能性が高い番組Ｂが、録画予約された番組の放送開始時刻より３０分遅い時刻から放送が開始され、録画予約された番組の放送終了時刻より３０分遅い時刻まで放送されるようになった例（放送時間が全体に後へ３０分シフトされた例）を示している。
【００６９】
また、図５は、録画予約された番組に該当する可能性が高い番組Ｂが、録画予約された番組の放送開始時刻から放送が開始されて、録画予約の放送終了時刻より３０分遅い時刻まで放送されるようになった例（放送時間が後の方へ３０分延長された例）を示している。さらに、図６は、録画予約された番組に該当する可能性が高い番組Ｂが、録画予約された番組の放送開始時刻より３０分早い時刻から放送が開始され、録画予約された番組の放送終了時刻より３０分早い時刻まで放送されるようになった例（放送時間が全体に前へ３０分シフトされた例）を示している。
【００７０】
制御部１０は、上述した放送開始時刻および放送終了時刻の比較等による処理を行って、録画予約の実行開始時刻および実行終了時刻を決定すると、その決定した実行開始時刻から実行終了時刻までの時間帯が、メモリ１１に記憶されている他の録画予約の番組に係る放送時間と重複するか否かを判定する処理を行う。
【００７１】
放送時間が重複する録画予約があると判定した場合、制御部１０は、放送時間が重複する番組の放送媒体（地上デジタル放送またはＢＳ／ＣＳデジタル放送）が異なるか否かを判定し、放送媒体が同じであれば、いずれか一方の録画予約を選択するためのメニュー画面を表示出力する処理を行う。また、放送媒体が異なれば、制御部１０は、録画先の記憶媒体（ハードディスクまたはディスク記憶媒体）が異なるか否かを判定し、同じであれば、異なる録画先の記憶媒体へ同時録画されるように記憶媒体を選択するためのメニュー画面を表示出力する処理を行い、記憶媒体が異なれば、重複する録画予約を同時録画予約に設定する処理を行う。
【００７２】
図７の第１フローチャートは、上述した録画装置１（制御部１０）の録画実行時間の決定等に係る基本的な処理手順を整理したものである。この第１フローチャートは、既に録画予約が行われた状態で、ＥＰＧ情報を各受信部２、３で取得するごとに録画予約の実行時間の決定等に係る処理を行う場合を示している。以下、この第１フローチャートに従って、録画装置１（制御部１０）が行う主要な処理内容を整理して説明する。
【００７３】
まず、録画装置１（制御部１０）は、所定の時間間隔で送信されてくるＥＰＧ情報を取得したか否かを判断する（Ｓ１）。取得していない場合（Ｓ１：ＮＯ）、ＥＰＧ情報の取得待ちの状態となり、一方、ＥＰＧ情報を取得した場合（Ｓ１：ＹＥＳ）、制御部１０は、ＥＰＧ情報の中から、予約番組と同じ放送チャンネルにおける予約番組の放送時間帯に放送時間が最も多く含まれる番組を特定する（Ｓ２）。そして制御部１０は、特定した番組の放送開始時刻と、予約番組の放送開始時刻とが一致するか否かを比較判定し（Ｓ３）、一致しないと判定した場合（Ｓ３：ＮＯ）、録画予約実行の開始時刻の変更処理を行う（Ｓ４）。
【００７４】
また、両方の放送開始時刻が一致すると判定した場合（Ｓ３：ＹＥＳ）、または開始時刻の変更処理（Ｓ４）のあと、制御部１０は、特定した番組の放送終了時刻と、予約番組の放送終了時刻とが一致するか否かを比較判定し（Ｓ５）、一致しないと判定した場合（Ｓ５：ＮＯ）、録画予約実行の終了時刻の変更処理を行う（Ｓ６）。また、両方の放送終了時刻が一致すると判定した場合（Ｓ５：ＹＥＳ）、または終了時刻の変更処理（Ｓ６）のあと、制御部１０は、上述した比較判定処理の対象となった予約番組の他にも、予約番組があるか否かをメモリ１１の記憶内容から検索する（Ｓ７）。
【００７５】
他に予約番組が無い場合（Ｓ７：ＮＯ）、制御部１０は一連の処理を終了し、他に予約番組がある場合（Ｓ７：ＹＥＳ）、上述した比較判定処理の対象となった予約番組の放送時間と、他の予約番組の放送時間とが重複するか否かを判定する（Ｓ８）。重複しないと判定した場合（Ｓ８：ＮＯ）、制御部１０は一連の処理を終了し、重複すると判定した場合（Ｓ８：ＹＥＳ）、制御部１０は、放送時間の重複に関する処理を行う（Ｓ９）。
【００７６】
図８（ａ）の第２フローチャートは、図７のＳ４の段階における開始時刻の変更処理の詳細な内容を示している。この第２フローチャートでは、ＥＰＧ情報から特定した番組の放送開始時刻が、予約番組の放送開始時刻より早いか否かを制御部１０が比較判定する（Ｓ１０）。ＥＰＧ情報の番組の放送開始時刻の方が早い場合（Ｓ１０：ＹＥＳ）、すなわち、図３および図６に示すようなパターンの場合、制御部１０は、録画予約実行の開始時刻をＥＰＧ情報の番組の放送開始時刻に変更する（Ｓ１１）。また、ＥＰＧ情報の番組の放送開始時刻の方が遅い場合（Ｓ１０：ＮＯ）、すなわち、図４に示すようなパターンの場合、制御部１０は、録画予約実行の開始時刻を、ＥＰＧ情報の番組より前の放送時間帯の番組の放送開始時刻に変更する（Ｓ１２）。
【００７７】
さらに、図８（ｂ）の第３フローチャートは、図７のＳ６の段階における終了時刻の変更処理の詳細な内容を示している。この第３フローチャートでは、ＥＰＧ情報から特定した番組の放送終了時刻が、予約番組の放送終了時刻より遅いか否かを制御部１０が比較判定する（Ｓ２０）。ＥＰＧ情報の番組の放送終了時刻の方が遅い場合（Ｓ２０：ＹＥＳ）、すなわち、図４および図５に示すようなパターンの場合、制御部１０は、録画予約実行の終了時刻をＥＰＧ情報の番組の放送終了時刻に変更する（Ｓ２１）。また、ＥＰＧ情報の番組の放送終了時刻の方が早い場合（Ｓ２０：ＮＯ）、すなわち、図６に示すようなパターンの場合、制御部１０は、録画予約実行の開始時刻を、ＥＰＧ情報の番組より後の放送時間帯の番組の放送終了時刻に変更する（Ｓ２２）。
【００７８】
以上のように、本発明では、取得した電子番組表により録画予約された番組の放送時間が変更された場合でも、キーワード検索およびタイトル名の比較などを行うことなく、放送開始時刻および放送終了時刻の比較のみで録画実行の時間を変更するので、制御部１０の処理負担を従来に比べて低減することができる。また、録画実行の時間は、延長する方向へ変更するので、時刻のみの比較処理で予約番組をＥＰＧ情報から特定しても、予約番組の録画を逃がすことを防止できる。
【００７９】
図９の第４フローチャートは、図７のＳ９の段階における重複に関する処理の内容を示している。この第４フローチャートでは、放送時間の重複する録画予約の番組の放送媒体が異なって設定されているかをメモリ１１の記憶内容より制御部１０が判定し（Ｓ３０）、放送媒体が同じであれば（Ｓ３０：ＮＯ）、放送時間の重複する録画予約のいずれか一方をユーザに選択してもらうメニュー画面の表示出力処理を制御部１０が行う（Ｓ３３）。なお、表示出力されたメニュー画面で、いずれか一方の録画予約がユーザにより選択されると、制御部１０は、選択された方の録画予約のみを実行することになる。
【００８０】
一方、放送媒体が異なれば（Ｓ３０：ＹＥＳ）、次に制御部１０は、重複する録画予約の録画先となる記憶媒体が異なって設定されているかをメモリ１１の記憶内容より制御部１０が判定し（Ｓ３１）、放送媒体が異なれば（Ｓ３１：ＹＥＳ）、制御部１０は、録画予約の内容を、放送時間が重複する予約番組の同時録画予約へと変更する（Ｓ３２）。また、記憶媒体が同じであれば（Ｓ３１：ＮＯ）、放送時間の重複する録画予約のいずれか一方の記憶先を別の記憶媒体に変更する選択指示をユーザから受け付けるメニュー画面の表示出力処理を制御部１０が行う（Ｓ３４）。なお、表示出力されたメニュー画面で、別の記憶媒体に選択する操作をユーザから受け付けると、制御部１０は、重複する録画予約の同時録画予約を受け付けることになる。
【００８１】
なお、本発明に係る内容は、上述した実施形態に限定されるものではなく、種々の変形例が考えられる。たとえば、録画用の記憶媒体が全て大容量のハードディスク装置が適用される場合などでは、録画予約の番組に該当する可能性が低い番組の録画時にも録画品質を低下させないで録画処理を行うことも可能である。また、本発明を適用する録画装置が複数の受信部を具備していなければ、同時録画予約は行えないので、図７の第１フローチャートにおけるＳ７段階以降の処理および図９の第４フローチャートに示す処理を省略することになる。
【００８２】
また、図７の第１フローチャートに示す処理の開始する条件（Ｓ１の処理内容）としては、ユーザの使い勝手に合うように、最新のＥＰＧ情報の取得時、所定の時間ごと（１２時間ごと等）、録画装置１の電源オン時などからユーザが設定メニューより選択できるようにして、選択した条件に合致するときに、Ｓ２以降の処理を行うようにすることも可能である。
【００８３】
さらに、図８（ａ）の第２フローチャートに示すＳ１２の段階の処理のように、録画予約の実行開始時刻を、前の番組の放送開始時刻に変更するときにおいて、前の番組の放送時間の長さ、第２フローチャートの処理を行うタイミングによっては、Ｓ１２の段階の処理を行うときに、前の番組の放送開始時刻が既に経過している場合も起こり得る。そのため、このような場合にも対応し得るようにするためには、図８（ａ）に示すＳ１２の段階の処理内容を、図１０の変形例の第５フローチャートの処理内容に置き換えることも可能である。
【００８４】
図１０の第５フローチャートでは、ＥＰＧ情報から特定された番組の放送開始時刻の方が、予約番組の放送開始時刻より遅いと制御部１０が判定した場合（Ｓ１０：ＮＯ）、その判定したときの時刻が、ＥＰＧ情報から特定した番組の前に放送される番組の放送開始時刻より遅いか否かを制御部１０が判定する（Ｓ４０）。判定した時刻が前の番組の放送開始時刻より遅いと判定した場合（Ｓ４０：ＹＥＳ）、予約番組に該当する可能性が少し存在する前の番組の放送が既に始まっている状態なので、この場合、制御部１０は、録画予約を実行して、予約番組の受信および録画を行う（Ｓ４１）。
【００８５】
一方、その判定したときの時刻が、ＥＰＧ情報から特定した番組の前に放送される番組の放送開始時刻より遅くないと判定した場合（Ｓ４０：ＮＯ）、この場合は、図８（ａ）の第２フローチャートのＳ１２と同様の処理内容を行うことになる（Ｓ４２）。
【００８６】
また、さらに上述した説明は、録画装置を対象にしているが、本発明の番組予約装置は、録画機能を具備しない受信装置であって、視聴予約（受信予約）が可能なものにも適用可能であり、たとえば、チューナユニットまたはセットトップボックスなどにも本発明を適用することが可能である。
【図面の簡単な説明】
【００８７】
【図１】本発明の実施形態に係る録画装置の主要な内部構成を示すブロック図である。
【図２】録画予約の実行時間を変更しない例を示すタイムチャートである。
【図３】録画予約の実行開始時刻を前へ延長する例を示すタイムチャートである。
【図４】録画予約の実行開始時刻を前へ延長する別の例を示すタイムチャートである。
【図５】録画予約の実行終了時刻を後へ延長する例を示すタイムチャートである。
【図６】録画予約の実行開始時刻を前へ延長すると共に、実行終了時刻を後へ延長する例を示すタイムチャートである。
【図７】録画予約実行の時間決定等に係る基本的な処理手順を示す第１フローチャートである。
【図８】（ａ）は録画予約実行の開始時刻変更に係る処理手順を示す第２フローチャートであり、（ｂ）は録画予約実行の終了時刻変更に係る処理手順を示す第３フローチャートである。
【図９】録画予約が重複した場合の処理手順を示す第４フローチャートである。
【図１０】録画予約実行の開始時刻変更に係る変形例の処理手順を示す第５フローチャートである。
【符号の説明】
【００８８】
１  録画装置
２  第１受信部
３  第２受信部
５  ハードディスク記憶処理部
６  記憶処理部
１０  制御部
１１  メモリ
１５  リモコン装置
【図１】
2009118050.tif 000003
【図２】
2009118050.tif 000004
【図３】
2009118050.tif 000005
【図４】
2009118050.tif 000006
【図５】
2009118050.tif 000007
【図６】
2009118050.tif 000008
【図７】
2009118050.tif 000009
【図８】
2009118050.tif 000010
【図９】
2009118050.tif 000011
【図１０】
2009118050.tif 000012